(57)【特許請求の範囲】
【請求項１】
内部に連結ステープルを長手方向にスライド自在に収納する収納溝を備え、この収納溝の前端をタッカーの本体に形成された射出部に開口させたマガジンに対し、上記収納溝内のステープルを保持するスライダを上記マガジンの長手方向に沿ってスライド自在に配置したタッカーにおいて、
上記スライダを、上記マガジンの収納溝内に配置されるステープルガイドと、このステープルガイドを挟んで両側に配置された合成樹脂製のスライダ部により構成するとともに、上記スライダ部材の端部には鈎形の補強アームを一体に突出させて形成し、上記スライダが射出部側にスライド移動されたときにこの補強アームの先端を上記射出部に形成した係合孔内に係合させるようにしたことを特徴とするタッカーにおけるマガジン機構。
【発明の詳細な説明】
【０００１】
【発明の属する技術分野】
本発明は連結ステープルを収納して先頭のものから順に射出部に供給するタッカーにおけるマガジン機構に関する。
【０００２】
【従来技術】
一般にタッカーはコ字形のステープルを被打込み材に打ち込むもので、椅子、ベッド等の布張りや壁材に対するラス網の止着などに利用されている。ステープルは複数のコ字状のステープル針を接着連結した連結ステープルの状態でマガジンに収納配置され、マガジンは打ち込みの度に１本ずつ先頭ステープルをタッカー本体の射出部に供給するように構成されている。
【０００３】
ところで、この種の工具は軽量化を進める傾向にあり、タッカーにおいても部品点数を少なくしたり、重い金属製部品を合成樹脂製にしたりすることによって軽量化を進めて作業性をよくしようとすることが試みられている。部品点数を減らすのは構造を変えることにつながるからなかなか難しい。金属製部品を合成樹脂製にすることの方が実現性が高い。この場合、全体に占める割合が比較的高く、また強度もそれほど要求されない部品が適する。そこで、ステープルを収納して射出部に供給することが主たる機能であり、比較的強度が低くて済むマガジンが好ましい。
【０００４】
【発明が解決しようとする課題】
しかしながら、連結ステープルの先頭ステープルを打ち出すときに先頭ステープルは２番目のステープルから分離するが、両ステープルは接着剤によって接着されているので、この接着剤が切断される際、２番目以降の連結ステープルには打ち出し方向に力が加わり、連結ステープルを保持している部材に大きな負荷が加わるから、上記部材が合成樹脂製である場合は強度や剛性が不足し、部材が変形してステープルの供給に支障をきたしたり、耐久性を損なったりするという問題があった。
【０００５】
本発明は上記問題点を解消し、軽量化と操作性の向上を図ることができるとともに、強度と剛性も十分なタッカーにおけるマガジン機構を提供することをその課題とする。
【０００６】
【課題を解決するための手段】
上記課題を解決するため、本発明に係るタッカーにおけるマガジン機構は、内部に連結ステープルを長手方向にスライド自在に収納する収納溝を備え、この収納溝の前端をタッカーの本体に形成された射出部に開口させたマガジンに対し、上記収納溝内のステープルを保持するスライダを上記マガジンの長手方向に沿ってスライド自在に配置したタッカーにおいて、上記スライダを、上記マガジンの収納溝内に配置されるステープルガイドと、このステープルガイドを挟んで両側に配置された合成樹脂製のスライダ部により構成するとともに、上記スライダ部材の端部には鈎形の補強アームを一体に突出させて形成し、上記スライダが射出部側にスライド移動されたときにこの補強アームの先端を上記射出部に形成した係合孔内に係合させるようにしたことを特徴とする
【０００７】
【発明の実施の形態】
図１はタッカーのマガジン機構を示すもので、このマガジン機構はタッカー本体に形成された射出部１を構成するドライバガイド２に連結されている。ドライバガイド２には図２に示すようにタッカー本体の打撃機構によって上下方向に駆動されたドライバ３を案内する凹状の摺動案内溝４が形成されている。
【０００８】
マガジン機構はマガジン５とスライダ６とから構成され、マガジン５は図２、図３に示されるように、内部に連結ステープル７を長手方向にスライド自在に保持する倒立Ｕ字状の収納溝８を有するステープル収納部９と、このステープル収納部９の前端から外方に直角に張り出した鍔プレート１０とを備え、鍔プレート１０を上記ドライバガイド２に当接して上記摺動案内溝４の開放部を塞ぐとともに、上記収納溝８の端部を上記摺動案内溝４に開口させたもので、上記ステープル収納部９にはその長手方向に沿って収納溝８の開放端から側方にリブ状の案内レール１１が突出形成されている。また、射出部１はドライバガイド２をと鍔プレート１０とによって構成されている。鍔プレート１０の左右両側には係合孔２２が形成されている。１２はロック解除レバーである。
【０００９】
次に、上記マガジン５に対し、上記収納溝８内に進入して収納溝８内の連結ステープル７を保持するスライダ６が上記収納溝８に沿ってスライド自在に配置されている。
【００１０】
スライダ６はそれぞれ合成樹脂から構成された左右１対のスライダ部材６ａ、６ｂをステープルガイド１３を挟んで固定したもので、各スライダ部材６ａ、６ｂは図３に示されるように、断面がくの字形に屈曲され、内側上部には長手方向に沿って内方に開口した係合溝１４が形成され、下端の細長板状部１５には長手に沿って等間隔に複数の穴１６が形成されている。また、スライダ部材６ａ、６ｂの一端には鈎形の補強アーム１７が突出形成されている。ステープルガイド１３は合成樹脂製又は金属製（例えば鉄）の板状部材で、その厚さは使用する連結ステープル７の脚部の間の寸法と略同じに形成されている。下端には上記スライダ部材６ａ、６ｂの穴１６に対応するように複数の穴１８が形成されている。また、ステープルガイド１３の先端にはトップブロック１９が取り付け固定されている。
【００１１】
上記両スライダ部材６ａ、６ｂの下端の細長板状部１５の間にステープルガイド１３の下端部を挟み、それぞれの対応する穴１６、１８にリベット２０を貫通させて一体に結合してスライダ６が構成されている。スライダ６の射出部１側と反対側の端部にはキャップ２１が固定されている。
【００１２】
上記スライダ６の内側に対向する係合溝１４にはマガジン５の両側の案内レール１１が係合される。これによってスライダ６は上記案内レール１１に沿ってスライド自在となり、またステープルガイド１３の上部はマガジン５の収納溝８の内部に進入し、収納溝８の内面とステープルガイド１３の外面との間に連結ステープル７が収納できる程度の空間が形成される。なお、ステープルガイド１３にはステープルプッシャ（図示せず）が配置され、射出部１側にバネ付勢されている。
【００１３】
前記構成において、マガジン５内に連結ステープル７を装填するときは、ロック解除レバー１２によりスライダ６のロックを解除してスライダ６を図２に示されるように後方にスライドする。これによってマガジン５の収納溝８の下方が開放されるので、タッカーを上下逆にして収納溝８の開放部を上にし、ここから連結ステープル７を装填し、再びスライダ６を移動させて収納溝８の下方を閉鎖すればよい。スライダ６は移動端でロックされるが、このとき、スライダ６の補強アーム１７の先端が上記マガジン５の鍔プレート１０の係合孔２２に係合するように構成されている。
【００１４】
次に、装填された連結ステープル７の先頭ステープル７ａはプッシャによって射出部１のドライバガイド２の摺動案内溝４に供給されるので、その後、図４のようにドライバ３を下方に駆動して先頭ステープル７ａを打撃すると、図５に示されるように、先頭ステープル７ａは２番目のステープル７ｂから分離して射出部１から打ち出される。ところで、先頭ステープル７ａと２番目のステープル７ｂとは接着剤によって接着されているので、分離するときに接着剤が切断されるが、このとき、２番目以降の連結ステープル７にも打ち出し方向に大きな力が加わる。この力はスライダ６のステープルガイド１３にも伝達されるから、スライダ６にも大きな負荷が加えられる。これに対し、図１のようにスライダ６は補強アーム１７がマガジン５の鍔プレート１０の係合孔２２に係合して補強されているから、スライダ６に対し打ち出し方向の力が加わっても、変形することがない。スライダ６が変形しないことによって連結ステープル７は収納溝８内に良好に収納され、射出部１に円滑確実に案内供給される。
【００１５】
上述のように、スライダ６は合成樹脂から構成されているから、軽量化が図られ、軽快に操作することができる。また、スライダ６の補強アーム１７の先端はマガジン５の係合孔２２に係合されて補強されているので、全体的に十分な強度と剛性が得られ、打ち込み時にスライダ６に負荷がかかっても変形することがなく、耐久性も損なわれることがない。
【図面の簡単な説明】
【図１】本発明に係るマガジン機構の斜視図
【図２】スライダをスライドさせる途中の斜視図
【図３】上記マガジン機構の中央部の横断面図
【図４】上記マガジン機構の射出部とその近傍の縦断面図
【図５】連結ステープルの分離態様説明図
【符号の説明】
１  射出部
５  マガジン
６  スライダ
８  収納溝
１７  補強アーム
２２  係合孔
【図１】
0003584701.tif 000002
【図２】
0003584701.tif 000003
【図３】
0003584701.tif 000004
【図４】
0003584701.tif 000005
【図５】
0003584701.tif 000006